(57)【要約】      （修正有）【課題】照明器具の光源の熱による影響を受けることが無いとともに様々な装飾効果を演出することが可能な装飾用透光性シートを提供する。【解決手段】装飾用の透光性シートであって、硝子繊維又は硝子繊維とメッシュ状の布を重ね合わせて成る１又は複数枚の透光性かつ多孔性の基材２と、該基材２に含浸させるとともに前記基材２の表面及び裏面を被覆した接着剤３と、で構成され、接着剤３として、接着材の原料中に顔料インクを混入させてなるカラー接着剤を用いており、これにより、装飾用透光性シート全体を任意の色で着色することができ、照明器具を配置する場所等に応じた色のセードを得ることができ、照明器具を配置する部屋等を様々な装飾で演出することができるとともに、傷等が付いた場合でもカラーの状態を維持することが可能である。【選択図】図１
0003133711.tif 000002
【実用新案登録請求の範囲】
【請求項１】
装飾用の透光性シートであって、
１又は複数枚の透光性かつ多孔性の基材（２、１２、２２）と、
該基材（２、１２、２２）に含浸させるとともに前記基材（２、１２、２２）の表面及び裏面を被覆した接着剤（３）と、で構成され、前記接着剤（３）として、接着材の原料中に色素を混入させてなるカラー接着剤を用いたことを特徴とする装飾用透光性シート。
【請求項２】
前記基材（２）が硝子繊維であることを特徴とする請求項１に記載の装飾用透光性シート。
【請求項３】
前記基材（１２）が硝子繊維（１２０１）及びメッシュ状の布（１２０２）を重ね合わせて構成されていることを特徴とする請求項１に記載の装飾用透光性シート。
【請求項４】
前記色素が顔料インクであることを特徴とする請求項１乃至請求項３のいずれかに記載の装飾用透光性シート。
【考案の詳細な説明】
【技術分野】
【０００１】
本考案は、照明器具等を囲うセード、カバー等に用いられる装飾用透光性シートに係り、より詳しくは、１又は複数枚の多孔性の基材と、この基材に含浸しつつ基材の表面及び裏面を被覆した接着剤とで構成される装飾用透光性シートにおいて、前記接着剤としてカラー接着剤を用いたことを特徴とする装飾用透光性シートに関する。
【背景技術】
【０００２】
一般的に、家屋、オフィス等に設置される照明器具は、単に室内等を照明するという機能が要求されるだけでなく、電灯の光を和らげつつ、室内を装飾する機能が併せて要求されることが多い。このため、従来から、室内やオフィス等に設置される照明器具では、セードと称される装飾用の透光性シートが光源の周囲に配置されることが行われている。
【０００３】
ここで、従来から用いられている透光性シートについて説明すると、従来の透光性シートでは、例えば硝子繊維等の透光性かつ多孔性の基材の表面及び裏面に澱粉系の糊を塗布して構成されており、糊の塗布に際しては、基材表面の糊の層と基材裏面の糊の層とが連通するように、基材に糊を含浸させている。
【０００４】
即ち、従来の透光性シートでは、まず、表面にフッ素系樹脂を塗布した離型板の上に硝子繊維製等の基材を載置し、次に、この硝子繊維製等の基材の上に澱粉系の糊を載せる。そして、その後に、糊が基材を貫通して基材の裏面に滲出するように、糊に上方から圧力を加えて、これにより、基材に糊を含浸させつつ基材の表面及び裏面に糊の層を形成し、その後に糊を乾燥させるとともに、離型板より基材を剥がして製造される。
【０００５】
このように、従来の透光性シートでは、澱粉系の糊を、基材に含浸させつつ基材の表面及び裏面に塗布して構成されているが、一般的に澱粉系の糊は白色であるために、完成した透光性シートもまた白色であり、装飾性に欠けてしまうという問題点が指摘できる。
【０００６】
この点、従来から、合成樹脂製のシートの両面に和紙又は和紙状のシートを貼付して構成される装飾用透光性シートが提供されており、この装飾用透光性シートによれば、様々な模様の透光性シートを得ることができるという利点がある。
【特許文献１】特開平７−５２３２７号公報
【特許文献２】特開平７−１８２９１３号公報
【特許文献３】特開平８−１０３９９０号公報
【特許文献４】特開２００３−２５５０９号公報
【特許文献５】特開２００３−２５５１４号公報
【考案の開示】
【考案が解決しようとする課題】
【０００７】
しかしながら、照明器具の光源は当然ながら熱くなるところ、合成樹脂製のシートは熱に弱いため、前述したような合成樹脂製のシートの両面に和紙又は和紙状のシートを貼付して構成される装飾用透光性シートでは、光源の熱による影響を受けて劣化しやすい等の問題点が考えられる。
【０００８】
そこで、本考案は、照明器具の光源の熱による影響を受けることが無いとともに、様々な装飾効果を演出することが可能な装飾用透光性シートを提供することを課題としている。
【課題を解決するための手段】
【０００９】
本考案の装飾用透光性シートは、装飾用の透光性シートであって、１又は複数枚の透光性かつ多孔性の基材と、該基材に含浸するとともに前記基材の表面及び裏面を被覆した接着剤と、で構成され、前記接着剤として、接着材の原料中に色素を混入させてなるカラー接着剤を用いたことを特徴としている。
【考案の効果】
【００１０】
本考案の装飾用透光性シートでは、透光性かつ多孔性の基材と、この基材に含浸するとともに基材の表面及び裏面を被覆した接着剤とで構成される装飾用透光性シートにおいて、前記接着剤として、接着材の原料中に色素を混入させてなるカラー接着剤を用いている。そのために、接着剤に混入させる色素の調合等を変えることにより、様々な色の装飾用透光性シートを得ることができ、これによって、照明器具を様々な装飾で演出することができるセードにすることが可能である。
【考案を実施するための最良の形態】
【００１１】
本考案の装飾用透光性シートでは、１又は複数枚の透光性かつ多孔性の基材を有しており、この基材には接着剤が含浸されているとともに、基材に含浸された接着剤は、基材の表面及び裏面に露出しており、これにより、基材の表面及び裏面は接着剤で被覆されている。
【００１２】
そして、前記接着剤としては、接着材の原料中に色素を混入させてなるカラー接着剤を用いている。
【００１３】
ここで、前記基材として、透光性かつ多孔性の硝子繊維を用いるとよく、これにより、光源の熱による影響を受けることのない装飾用透光性シートとすることができる。
【００１４】
また、前記基材として、透光性かつ多孔性の硝子繊維とメッシュ状の布を重ね合わせて構成してもよく、これによれば、メッシュの折り柄が影となって現れ、色と柄による組み合わせによる装飾効果を得ることもできる。
【００１５】
更に、前記色素としては顔料インクを用いるとよく、これにより、容易に様々な色の接着剤を得ることが可能である。
【実施例１】
【００１６】
本考案の装飾用透光性シートの実施例について図面を参照して説明すると、図１は、本実施例の装飾用透光性シートの構造を示す断面図であり、図において１が本実施例の装飾用透光性シートである。
【００１７】
そして、本実施例の装飾用透光性シート１では基材を有している。即ち、図において２が前記基材であり、本実施例においてこの基材としては、透光性かつ多孔性の硝子繊維を用いている。
【００１８】
次に、本実施例の装飾用透光性シートにおいては、前記基材２の表面及び裏面に澱粉系の糊からなる接着剤３を塗布するとともに、この接着剤３を、前記基材２に含浸しており、前記基材２と接着剤３とを一体にして構成している。
【００１９】
そして、本実施例において前記接着剤３は、澱粉系の糊の中に顔料インクを混入したカラー接着剤を用いている。
【００２０】
即ち、本実施例の装飾用透光性シート１では、カラー接着剤３を用いて、このカラー接着剤３を前記基材２に含浸させつつ、カラー接着剤３で基材２の表面及び裏面を被覆して構成されており、これにより装飾用透光性シート全体を所望する色にすることを可能としている。
【００２１】
従って、本実施例の装飾用透光性シート１では、従来の白色のセードと異なり、照明器具を配置する場所等に応じた色のセードを得ることができ、照明器具を配置する部屋等を様々な装飾で演出することができる。
【００２２】
なお、前記カラー接着剤の製造方法は特に限定されないが、本実施例においては、澱粉系の糊を製造した後に、この澱粉系の糊の中に、任意の色の液体状の顔料インクを入れた後に、この顔料インクを入れた澱粉系の糊全体を攪拌して製造した。
【００２３】
次に、このように構成される本実施例の装飾用透光性シート１の製造方法について説明すると、図２は本実施例の装飾用透光性シート１の製造工程を示す図であり、図２（Ａ）において、表面にフッ素加工を施した離型板４の上に、硝子繊維製の基材２を載置する。
【００２４】
次に、前記硝子繊維製の基材２の上に、前述のようにして製造したカラー接着剤３を塗布する。
【００２５】
そして次に、基材２の上に塗布したカラー接着剤３に上から圧力を加えて、これにより、前記基材２にカラー接着剤３を含浸させつつ、含浸させたカラー接着剤３の一部を基材２の裏面に滲出させ、これにより、カラー接着剤３が、基材２に含浸されつつ基材２の表裏面を被覆した状態にする。
【００２６】
そして、その後に、カラー接着剤３を乾燥させて基材２とカラー接着剤３とを一体化した後に、基材２を離型板４より剥がし、これにより本実施例の装飾用透光性シート１が完成する。
【００２７】
このように、本実施例の装飾用透光性シート１では、基材２に含浸させる接着剤としてカラー接着剤を用いているため、従来の白色のセードと異なり、色素の調合具合によって、照明器具を配置する場所等に応じた色のセードを得ることができ、照明器具を配置する部屋等を様々な装飾で演出することができる。
【００２８】
そしてこのとき、本実施例の装飾用透光性シート１では、基材２の表裏面を被覆するとともに基材２に含浸させる接着剤としてカラー接着剤を用い、これにより基材２の全体を着色しているため、基材２にカラーフィルム等を貼着した場合と異なり、例えば装飾用透光性シート１に傷等が付いた場合でも色が落ちることが無く、カラーの状態を維持することが可能である。従って、加工が極めて良いとともに、多少の損傷にも堪えることができ、補修性も高いカラーシートにすることが可能である。
【００２９】
なお、前述の実施例では、基材としては１枚の硝子繊維を用いた場合を説明したが、本考案の装飾用透光性シート１においては、必ずしも１枚の硝子繊維を基材として用いる必要はなく、複数枚の硝子繊維を重ね合わせて基材を構成してもよい。
【００３０】
また、硝子繊維とともにメッシュ状の布を用いて基材を構成してもよい。例えば、図３及び図４は本考案の装飾用透光性シート１の他の構成における構造を示した断面図であり、図３に示す装飾用透光性シート１１では、硝子繊維１２０１とメッシュ状の布１２０２を重ね合わせて基材１２を構成しており、また、図４に示す装飾用透光性シート１２では、２枚の硝子繊維１２０１でメッシュ状の布１２０２を上下から挟んだ形態で基材２２を構成している。そして、これによって、メッシュ状の布の折り柄が装飾用透光性シートに影となって現れ、色と柄による組み合わせによる装飾効果を得ることが可能となる。
【産業上の利用可能性】
【００３１】
本考案の装飾用透光性シートでは、シート全体をカラーにすることができ、これにより加工性を極めて良くするとともに補修性にも優れるために、照明器具用のセードに限定されず、装飾用シートの全般に適用可能である。
【図面の簡単な説明】
【００３２】
【図１】本考案の装飾用透光性シートの実施例の構造を説明するための断面図である。
【図２】本考案の装飾用透光性シートの実施例の製造方法を説明するための工程図である。
【図３】本考案の装飾用透光性シートの他の形態を説明するための断面図である。
【図４】本考案の装飾用透光性シートの他の形態を説明するための断面図である。
【符号の説明】
【００３３】
１、１１、２１    装飾用透光性シート
２、１２、２２    基材
１２０１    硝子繊維
１２０２    メッシュ状の布
３    接着剤
４    離型板
【図１】
0003133711.tif 000003
【図２】
0003133711.tif 000004
【図３】
0003133711.tif 000005
【図４】
0003133711.tif 000006